(57)【要約】【課題】入浴者がリラックスして入浴することができる入浴装置を提供する。【解決手段】入浴装置１は、入浴者が座る座部１１と、座部１１を昇降させる昇降装置１２と、を備える。昇降装置１２は、座部１１の座面１１ａの傾きを調整可能とする傾斜調整手段を備える。【選択図】図１
2015029680.tif 000002
【特許請求の範囲】
【請求項１】
入浴者が座る座部と、
前記座部を昇降させる昇降装置と、
を備える入浴装置であって、
前記昇降装置は、前記座部の座面の傾きを調整可能とする傾斜調整手段を備えることを特徴とする入浴装置。
【請求項２】
前記傾斜調整手段は、前記座部に座る入浴者の前後方向の傾きを調整可能であることを特徴とする請求項１に記載の入浴装置。
【請求項３】
前記昇降装置は、前記座部を支持する複数の可撓性支持部材を有し、前記可撓性支持部材の繰り出しと巻き取りとを切り換えることによって前記座部を昇降させ、
前記傾斜調整手段は、前記複数の可撓性支持部材のうち、少なくとも一つの可撓性支持部材の動きを他の可撓性支持部材の動きと独立させる手段を含むことを特徴とする請求項１又は２に記載の入浴装置。
【請求項４】
前記傾斜調整手段にはクラッチ機構が含まれることを特徴とする請求項３に記載の入浴装置。
【請求項５】
前記昇降装置は、前記座部を支持する複数の可撓性支持部材を有し、前記可撓性支持部材の繰り出しと巻き取りとを切り換えることによって前記座部を昇降させ、
前記傾斜調整手段は、前記複数の可撓性支持部材のうち、少なくとも一つの可撓性支持部材の繰り出し及び巻き取りの速度を他の可撓性支持部材の前記速度と異ならせる手段を含むことを特徴とする請求項１又は２に記載の入浴装置。
【請求項６】
前記昇降装置には、前記可撓性支持部材が巻回される複数のドラムが含まれ、
前記傾斜調整手段は、前記複数のドラムの中に直径の異なるドラムを含ませることによって実現されていることを特徴とする請求項５に記載の入浴装置。
【請求項７】
前記座部は、浴槽の対向する２つの側壁間を橋渡しするように配置される複数の前記可撓性支持部材の上に載せられることを特徴とする請求項３から６のいずれかに記載の入浴装置。
【発明の詳細な説明】
【技術分野】
【０００１】
本発明は、体が不自由で介助が必要な者（以下、要介助者と記載する）の入浴に使用される入浴装置に関する。
【背景技術】
【０００２】
従来、例えば高齢者や身体障害者等の要介助者を入浴させるために使用される様々な入浴装置が知られている。例えば、特許文献１には、浴槽の縁部（リム）に取り付けられて、要介助者の入浴を助ける入浴介助装置（入浴装置）が開示されている。
【０００３】
特許文献１に開示される入浴介助装置は、浴槽のリムに配置されるコの字型のフレームと、当該フレームに取り付けられる昇降装置と、当該昇降装置によって巻き取られたり繰り出されたりするワイヤーを介して４箇所で吊持される座面と、を備える構成になっている。当該入浴介助装置では、昇降装置でワイヤーを巻き取ったり繰り出したりすることによって座面を昇降させ、要介助者の入浴を助ける。
【先行技術文献】
【特許文献】
【０００４】
【特許文献１】特開２００６−１３６６１０号公報
【発明の概要】
【発明が解決しようとする課題】
【０００５】
ところで、特許文献１に開示される入浴介助装置では、座面は、昇降の最上位置から最下位置に至るまで常に水平状態に保たれる。このため、座面に座る入浴者は、上半身を直立させた状態（姿勢）で入浴することになる。このようなことから、従来の入浴介助装置では、リラックスして入浴し難いといった印象を入浴者が抱くことが懸念された。
【０００６】
以上の点に鑑みて、本発明の目的は、入浴者がリラックスして入浴することができる入浴装置を提供することである。
【課題を解決するための手段】
【０００７】
上記目的を達成するために本発明の入浴装置は、入浴者が座る座部と、前記座部を昇降させる昇降装置と、を備える入浴装置であって、前記昇降装置は、前記座部の座面の傾きを調整可能とする傾斜調整手段を備える構成（第１の構成）になっている。
【０００８】
本構成によれば、入浴者が臀部を載せる座面の傾きを傾斜調整手段で調整して、入浴者の入浴時の姿勢を調整できる。すなわち、本構成の入浴装置を使用すれば、入浴者は安定した姿勢でリラックスして入浴することが可能である。
【０００９】
上記第１の構成の入浴装置において、前記傾斜調整手段は、前記座部に座る入浴者の前後方向の傾きを調整可能である（第２の構成）のが好ましい。本構成によれば、入浴者が座る座面について、前側より後側が下がった状態に傾斜させることができるために、入浴者をリラックスした姿勢で入浴させることが可能である。
【００１０】
上記第１又は第２の構成の入浴装置において、前記昇降装置は、前記座部を支持する複数の可撓性支持部材を有し、前記可撓性支持部材の繰り出しと巻き取りとを切り換えることによって前記座部を昇降させ、前記傾斜調整手段は、前記複数の可撓性支持部材のうち、少なくとも一つの可撓性支持部材の動きを他の可撓性支持部材の動きと独立させる手段を含む構成（第３の構成）であってよい。本構成の可撓性支持部材の具体例としては、例えば、ワイヤー、ベルト、チェーン等が挙げられる。本構成の傾斜調整手段は、例えばクラッチ機構を利用して実現することも可能であるし、複数の駆動手段（例えばモーター等）を利用して実現することも可能である。
【００１１】
上記第３の構成の入浴装置において、前記傾斜調整手段にはクラッチ機構が含まれる（第４の構成）のが好ましい。本構成によれば、駆動手段（例えばモーター等）の数を少なくして、装置の小型化や低コスト化を図り易い。
【００１２】
上記第１又は第２の構成の入浴装置において、前記昇降装置は、前記座部を支持する複数の可撓性支持部材を有し、前記可撓性支持部材の繰り出しと巻き取りとを切り換えることによって前記座部を昇降させ、前記傾斜調整手段は、前記複数の可撓性支持部材のうち、少なくとも一つの可撓性支持部材の繰り出し及び巻き取りの速度を他の可撓性支持部材の前記速度と異ならせる手段を含む構成（第５の構成）であってよい。本構成の可撓性支持部材の具体例としては、例えば、ワイヤー、ベルト、チェーン等が挙げられる。本構成の傾斜調整手段は、例えば可撓性支持部材が巻回されるドラム径を異ならせる構成を利用して実現することも可能であるし、複数の駆動手段（例えばモーター等）を利用して実現することも可能である。
【００１３】
上記第５の構成の入浴装置において、前記昇降装置には、前記可撓性支持部材が巻回される複数のドラムが含まれ、前記傾斜調整手段は、前記複数のドラムの中に直径の異なるドラムを含ませることによって実現されている構成（第６の構成）が好ましい。本構成によれば、駆動手段（例えばモーター等）の数を少なくして、装置の小型化や低コスト化を図り易い。
【００１４】
上記第３から第６のいずれかの構成の入浴装置において、前記座部は、浴槽の対向する２つの側壁間を橋渡しするように配置される複数の前記可撓性支持部材の上に載せられる構成（第７の構成）であってよい。その他の構成として、前記座部は、複数の前記可撓性支持部材に吊り持ち支持される構成等であっても構わない。
【発明の効果】
【００１５】
本発明によれば、入浴者がリラックスして入浴することができる入浴装置を提供できる。
【図面の簡単な説明】
【００１６】
【図１】本発明の実施形態に係る入浴装置の構成を示す概略斜視図
【図２】本発明の実施形態に係る入浴装置が浴槽に設置された状態を示す概略斜視図
【図３】図２から一部の部材を取り除いた状態を示す図
【図４】本発明の実施形態に係る入浴装置の使用例を説明するための概略斜視図
【図５】本発明の実施形態に係る入浴装置の使用例を説明するための概略斜視図
【図６】本発明の実施形態に係る入浴装置の使用例を説明するための概略斜視図
【図７】本発明の実施形態に係る入浴装置において、座部が取り外されると共にワイヤー及び背面ベルトが所定位置に収容された状態を示す概略斜視図
【図８】入浴者がリラックスして入浴できる姿勢について説明するための模式図
【図９】本発明の実施形態に係る入浴装置が備える第１実施形態の傾斜調整手段の構成を示す概略平面図
【図１０】本発明の実施形態に係る入浴装置が備える第２実施形態の傾斜調整手段の構成を示す概略平面図
【発明を実施するための形態】
【００１７】
以下、本発明の実施形態に係る入浴装置について、図面を参照しながら詳細に説明する。
＜入浴装置の概略構成＞
【００１８】
図１は、本発明の実施形態に係る入浴装置１の構成を示す概略斜視図である。図２は、本発明の実施形態に係る入浴装置１が浴槽２に設置された状態を示す概略斜視図である。図３は、図２から一部の部材（詳細には、座部１１のフラップ１１２、昇降装置１２の収納部１２１）を取り除いた状態を示す図である。図１から図３に示すように、入浴装置１は、大きくは、フレーム部１０と、座部１１と、昇降装置１２と、を備えている。
【００１９】
フレーム部１０は、上面視略コの字状に形成され、図２及び図３に示すように、上面視略矩形状に設けられる浴槽２の縁に沿って固定配置される。なお、フレーム部は、浴槽の縁に載せられる形状であればよく、浴槽の形状に合わせて、その形状は適宜変更されて構わない。また、上面視略コの字状に形成されるフレーム部は、浴槽のサイズに合わせて長さ調整できる機構を備えてもよい。
【００２０】
座部１１は、浴槽２内の湯に浸かるために入浴者が座る部分である。座部１１は、昇降装置１２によって浴槽２内を昇降可能に設けられている。なお、図１は、座部１１に座った入浴者が浴槽２内の湯に浸かれるように、昇降装置１２によって座部１１が下げられた状態を示している。また、図２は、入浴者が浴槽２外から座部１１に移乗、或いは、入浴者が座部１１から浴槽２外へと移乗できるように、昇降装置１２によって座部１１が浴槽２の上面まで上げられた状態を示している。
【００２１】
昇降装置１２は、収納部１２１と、モーター部１２２と、ドラム部１２３と、第１のワイヤー１２４ａと、第２のワイヤー１２４ｂと、を備えている。
【００２２】
収納部１２１は、収納ボックス１２１ａと蓋１２１ｂとを備える。収納ボックス１２１ａ内に、モーター部１２２及びドラム部１２３は収納され、これらは蓋１２１ｂで外から見えないように覆われている。なお、図示されていないが、収納ボックス１２１ａ内には、例えばリレーボックスやバッテリー等の他の部材も収納されている。また、蓋１２１ｂは、収納ボックス１２１ａに対して開閉可能に取り付けられており、これにより、収納部１２１内に配置される部品のメンテナンスやバッテリー交換等をスムーズに行うことができる。
【００２３】
モーター部１２２には、モーターが含まれる。モーター部には、その他、変速機等が含まれてよい。ドラム部１２３は、モーター部１２１の出力軸（不図示）に連結されており、モーター部１２１の駆動によって回動可能となっている。本実施形態では、ドラム部１２３は２つのドラム１２３ａ、１２３ｂを備えるが、その詳細な構造は後述する。２本のワイヤー１２４ａ、１２４ｂは、ドラム部１２３に巻回されており、モーター部１２２の出力軸の回転方向を切り換えることによって、ドラム部１２３から繰り出されたり、ドラム部１２３に巻き取られたりする。
【００２４】
ドラム部１２３から引き出された２本のワイヤー１２４ａ、１２４ｂは、いずれも、収納部１２１に設けられる貫通孔（不図示）を介して収納部１２１外に引き出される。収納部１２１外に引き出された２本のワイヤー１２４ａ、１２４ｂは、いずれも、フレーム部１０内を挿通され、浴槽２の互いに対向する２つの側壁２１、２２（長手方向の側壁）間を橋渡しするように配置される。２本のワイヤー１２４ａ、１２４ｂの先端は、第１の側壁２１側において、フレーム部１０に設けられるワイヤー取り付け部１０１に取り付けられる。
【００２５】
なお、ワイヤー１２４ａ、１２４ｂは、本発明の可撓性支持部材の一例である。また、収納部１２１内には、ワイヤー１２４ａ、１２４ｂをガイドする部材（例えばローラー等）が適宜設けられてよい。更に、ワイヤー１２４ａ、１２４ｂの先端は、浴槽２や浴室の壁に取り付けられる構成であっても構わない。
【００２６】
座部１１は、２本のワイヤー１２４ａ、１２４ｂ上に移動可能に載せられている。図１及び図３に示すように、座部１１の左右側面の下部側には、それぞれ、前後に１つずつローラー１１１が取り付けられている（座部１１には、合計４つのローラー１１１が取り付けられている）。座部１１のローラー１１１がワイヤー１２４ａ、１２４ｂ上に載せられることにより、座部１１はワイヤー１２４ａ、１２４ｂに対して移動可能（左右方向に移動可能）となっている。なお、座部１１の裏面には、図示しない抜け止めが設けられ、座部１１がワイヤー１２４ａ、１２４ｂから脱落しないようになっている。また、上述の座部１１の前後、左右といった表現は、入浴のために座部１１に座った入浴者を基準とした表現である。以下同様に、前後左右といった表現が使用される場合がある。
【００２７】
例えば、ワイヤー１２４ａ、１２４ｂが図２に示す状態から繰り出された場合、座部１１は、当該ワイヤー１２４ａ、１２４ｂの繰り出しに応じてワイヤー１２４ａ、１２４ｂに対する位置を移動させつつ、浴槽２内へと下がっていく。逆に、座部１１が浴槽２内に下げられた状態からワイヤー１２４ａ、１２４ｂが巻き取られた場合、座部１１は、当該ワイヤー１２４ａ、１２４ｂの巻き取りに応じてワイヤー１２４ａ、１２４ｂに対する位置を移動させつつ、浴槽２上部へと上がってくる。
【００２８】
座部１１の左右側面の上部側には、フラップ１１２が取り付けられている。フラップ１１２は、座部１１の左右の側面下部側に設けられるローラー１１１を覆うように設けられ、座部１１に座る入浴者の手指がローラー１１１やワイヤー１２４ａ、１２４ｂに触れることを抑止する。フラップ１１２は、座部１１に対して角度変更可能に設けられており、例えば図１や図２からわかるように、座部１１の高さ位置によってその角度が変更される。また、フラップ１１２は、後述の内容からわかるように、入浴者の移乗性を向上する機能も有する。
【００２９】
座部１１の後ろ（背面）側には、背面ベルト１３の一端（先端）側が取り付けられている。背面ベルト１３の他端側は、フレーム部１０上に設けられるベルト収容部１４内のドラム（不図示）に巻き付けられている。また、背面ベルト１３は、不図示の付勢部材（例えばゼンマイ）を利用してベルト収容部１４内に巻き取られる方向に付勢されている。モーター部１２２の駆動によってワイヤー１２４ａ、１２４ｂが繰り出されて座部１１が下降すると、背面ベルト１３は付勢部材の付勢力に反して繰り出される。一方、モーター部１２２の駆動によってワイヤー１２４ａ、１２４ｂが巻き取られて座部１１が上昇すると、背面ベルト１３は付勢部材の付勢力によってベルト収容部１４内に巻き取られる。
【００３０】
次に、入浴装置１の使用例について、図４から図６も参照しながら説明する。車椅子等で浴室に運ばれた入浴者Ｍは、図４に示すように、浴槽２の側面に配置される収納部１２１の上に移乗される。すなわち、収納部１２１は、昇降装置１２を構成する部品を収納するだけでなく、移乗台としての機能を発揮する。この収納部１２１の存在により、装置全体のサイズが大きくなることを抑制しつつ、安全に移乗するためのスペースを稼ぐことが可能になっている。また、移乗台部として兼用される収納部１２１の存在により、別途移乗台を準備する必要がなく、介助者の作業負担を軽減できる。
【００３１】
収納部１２１に腰をかけた入浴者Ｍは、収納部１２１及びフラップ１１２（図２参照）上で臀部をずらしながら、図５に示すように座部１１に至る。この際、介助者による介助が適宜行われる。
【００３２】
入浴者Ｍが座部１１に至ると、図６に示すように、昇降装置１２によって座部１１が下げられ、入浴者Ｍは浴槽２内の湯に浸かることができる。昇降装置１２の操作は、不図示の操作部（例えばリモコン等）を用いて行われる。詳細には、モーター部１２２が駆動されて、ワイヤー１２４ａ、１２４ｂが繰り出される。ワイヤー１２４ａ、１２４ｂが繰り出されると、座部１１はワイヤー１２４ａ、１２４ｂ上の位置を移動しながら浴槽２内へと下がっていく。ワイヤー１２４ａ、１２４ｂの繰り出しに応じて座部１１がワイヤー１２４ａ、１２４ｂ上の位置を移動するために、入浴者は自身で臀部の位置を調整することなく、浴槽２の左右方向の略中央位置に位置することができる。
【００３３】
また、座部１１の下降に応じて背面ベルト１３が引き出されるために、入浴者Ｍは、その背中を浴槽２の壁面や構造物に擦り難い。なお、入浴装置１においては、昇降装置１２を構成する部品の多くが浴槽２の側面に設けられる収納部１２１に収納されているために、入浴者Ｍの背面側に大きな構造物が載置され難い。この点からも、入浴者Ｍは、背中を怪我し難くなっている。
【００３４】
入浴者Ｍが浴槽２内から出る場合には、図６に示す状態からモーター部１２２が駆動されて、ワイヤー１２４ａ、１２４ｂがドラム部１２３に巻き取られる。ワイヤー１２４ａ、１２４ｂが巻き取られると、座部１１はワイヤー１２４ａ、１２４ｂ上の位置を移動しながら浴槽２上に上昇する。この際、背面ベルト１３も、付勢部材の付勢力によってベルト収容部１４内に巻き取られる。これにより、入浴者Ｍは、図５に示す位置に戻る。この際、ワイヤー１２４ａ、１２４ｂの巻き取りに応じて座部１１がワイヤー１２４ａ、１２４ｂ上の位置を移動するために、座部１１が下降する場合と同様に、入浴者は臀部の位置を調整する必要がない。
【００３５】
図５の位置に戻った入浴者Ｍは、介助者の助けを適宜借りながら臀部をずらして収納部１２１の上まで至り、その後、車椅子等に移乗される。
【００３６】
なお、本実施形態の入浴装置１においては、図７に示すように、座部１１と、ワイヤー１２４ａ、１２４ｂ及び背面ベルト１３との係合を解除して、座部１１の取り外しが行えるようになっている。また、座部１１から取り外された２本のワイヤー１２４ａ、１２４ｂは、いずれも、その先端部がワイヤー取り付け部１０１から外されてドラム部１２３に巻き取られることによって、浴槽２の側壁２１、２２間を橋渡ししない状態にできる。また、座部１１から取り外された背面ベルト１３は、付勢部材の付勢力によって引っ張られてベルト収容部１４に収容される。このために、入浴装置１を利用しない健常者等は、入浴装置１が邪魔と感じたり、入浴装置１によって圧迫感を与えられたりすることなく、浴槽２内に入ることができる。すなわち、本実施形態の入浴装置１は、例えば家庭の浴槽等に設置し易い。
【００３７】
また、本実施形態のように、座部１１を着脱可能に設けることによって、浴槽２の清掃や入浴装置１のメンテナス等を行い易くなる。なお、図７は、本発明の実施形態に係る入浴装置１において、座部１１が取り外されると共にワイヤー１２４ａ、１２４ｂ及び背面ベルト１３が所定位置に収容された状態を示す概略斜視図である。
＜入浴者がリラックスして入浴するための工夫＞
【００３８】
ところで、昇降装置１２を利用して座部１１を浴槽２内に下げる場合に、座部１１の座面１１ａが水平状態のままであると、入浴者Ｍは、上半身を直立させた姿勢で入浴することになる（図８（ａ）参照）。この場合、入浴者Ｍはリラックスして入浴できず、また、姿勢安定性が良くないために不安感を抱く可能性がある。この点を考慮して、本実施形態の昇降装置１２においては、入浴者Ｍが図８（ｂ）に示すようなリラックスした状態で入浴できるように、座部１１の座面１１ａを前後方向に傾斜（より詳細には、前側より後側が下がった状態に傾斜）させる傾斜調整手段が備えられている。以下、この傾斜調整手段について説明する。なお、図８は、入浴者Ｍがリラックスして入浴できる姿勢について説明するための模式図である。
（第１実施形態の傾斜調整手段）
【００３９】
図９は、本発明の実施形態に係る入浴装置１が備える第１実施形態の傾斜調整手段Ｔの構成を示す概略平面図である。図９に示すように、第１実施形態の傾斜調整手段Ｔは、クラッチ機構を含む構成になっている。なお、図９（ａ）は、クラッチ機構が動力伝達状態になっている場合を示しており、図９（ｂ）は、クラッチ機構が動力遮断状態になっている場合を示している。
【００４０】
昇降装置１２が備えるドラム部１２３は、第１のワイヤー１２４ａ（例えば図３参照）が巻回される第１のドラム１２３ａと、第２のワイヤー１２４ｂ（例えば図３参照）が巻回される第２のドラム１２３ｂと、を備えている。第１のドラム１２３ａは、モーター部１２２（例えば収納部１２１の内側の壁Ｗに固定される）の出力軸１２２ａに連結される第１の回動軸１２５の途中位置に固定されている。また、第２のドラム１２３ｂは、壁Ｗ（例えば収納部１２１の内壁）から突出する支持片Ｓに回動可能且つスライド移動可能に支持される第２の回動軸１２６の途中位置に固定されている。
【００４１】
第１の回動軸１２５の先端には、第１のクラッチプレート１２７ａが固定配置されている。この第１のクラッチプレート１２７ａは、第２の回動軸１２６の一方側の先端に固定配置される第２のクラッチプレート１２７ｂと対になって使用される。なお、一対のクラッチプレート１２７ａ、１２７ｂは、例えば摩擦クラッチを構成する部材であってよいが、他の分類のクラッチ（例えば噛み合いクラッチ等）を構成する部材であってもよい。
【００４２】
第２の回動軸１２６は、浴槽２の第２の側壁２２の外面に沿って配置されるワイヤー１２８を介してクラッチペダル１２９に接続されている（例えば図２、図３参照）。クラッチペダル１２９が踏まれていない場合には、付勢部材（不図示）によって、第２の回動軸１２６に対して第１の回動軸１２５に接近する方向（図９において左方向）の力が加わる。この結果、２つのクラッチプレート１２７ａ、１２７ｂが動力伝達可能に繋がる（図９（ａ）の状態）。一方、クラッチペダル１２９が踏まれる（例えば介助者によって踏まれる）と、第２の回動軸１２６に対して第１の回動軸１２５から離れる方向（図９において右方向）の力が加わり、第２の回動軸１２６はスライド移動する。この結果、２つのクラッチプレート１２７ａ、１２７ｂの接続が解除され、動力遮断状態になる（図９（ｂ）の状態）。
【００４３】
次に、第１実施形態の傾斜調整手段Ｔの使用例について説明する。
【００４４】
上限位置（図２に示す状態）に配置された座部１１に入浴者Ｍが座った状態で、介助者は、クラッチペダル１２９を踏みつつ、モーター部１２２をワイヤー１２４ａ、１２４ｂが繰り出される方向に駆動させる。この場合、一対のクラッチプレート１２７ａ、１２７ｂは接続されていないために、第１のドラム１２３ａのみが回動され、第１のワイヤー１２４ａのみが繰り出される。このために、座部１１は、後側のみが下がり、座面１１ａが前後方向に傾斜した状態になる。クラッチペダル１２９を踏んだ状態でモーター部１２２を駆動させる時間を調整することにより、座面１１ａの傾斜角を調整できる。
【００４５】
座面１１ａについて所望の傾斜状態を得た後、介助者は、クラッチペダル１２９を踏まずに、モーター部１２２をワイヤー１２４ａ、１２４ｂが繰り出される方向に駆動させるこの場合は、一対のクラッチプレート１２７ａ、１２７ｂが接続されているために、第１のドラム１２３ａと第２のドラム１２３ｂが一緒に動き（回動し）、座面１１ａの傾斜角が先に得られた傾斜角に保たれた状態で、座部１１は浴槽２内に下げられる（図８（ｂ）の状態が得られる）。このために、入浴者Ｍはリラックスした状態で、浴槽２内の湯に浸かれる。
【００４６】
入浴者Ｍが浴槽２から出る場合には、介助者は、クラッチペダル１２９を踏まずに、モーター部１２２をワイヤー１２４ａ、１２４ｂが巻き取られる方向に駆動させる。これにより、第１のドラム１２３ａと第２のドラム１２３ｂが一緒に動き（回動し）、座面１１ａの傾斜状態が保たれたままで、座部１１は浴槽２の上面に引き上げられる。この後、介助者がクラッチペダル１２９を踏んだ状態で、モーター部１２２をワイヤー１２４ａ、１２４ｂを巻き取る方向に駆動させることによって、座部１１の座面１１ａを略水平状態にする。これにより、入浴者Ｍはフラップ１１２等を介して楽に浴槽２外に出られる。
【００４７】
なお、以上の例では、座面１１ａの傾斜調整が、座部１１が上限位置にある場合に行われることとしたが、座部１１が上限位置以外の位置にある場合に行われてよい。ただし、上限位置で傾斜状態を得るようにした方が、安全に所望の傾斜状態を得易い。
（第２実施形態の傾斜調整手段）
【００４８】
図１０は、本発明の実施形態に係る入浴装置１が備える第２実施形態の傾斜調整手段Ｔの構成を示す概略平面図である。
【００４９】
昇降装置１２が備えるドラム部１２３は、第１のワイヤー１２４ａ（例えば図３参照）が巻回される第１のドラム１２３ａと、第２のワイヤー１２４ｂ（例えば図３参照）が巻回される第２のドラム１２３ｂと、を備えている。第１のドラム１２３ａ及び第２のドラム１２３ｂは、モーター部１２２（例えば収納部１２１の内側の壁Ｗに固定される）の出力軸１２２ａに連結される回動軸１３０に間隔をおいて固定されている。なお、本実施形態では、回動軸１３０をしっかりと支えるために、回動軸１３０は、壁Ｗ（例えば収納部１２１の内壁）から突出する支持片Ｓに回動可能に支持されている。
【００５０】
本実施形態においては、第１のドラム１２３ａと、第２のドラム１２３ｂとは、異なる直径を有している。詳細には、第１のドラム１２３ａの直径の方が、第２のドラム１２３ｂの直径より大きくなっている。このため、モーター部１２２を駆動した時に繰り出されたり、巻き取られたりするワイヤーの量（ワイヤーの繰り出し及び巻き取りの速度）は、第１のワイヤー１２４ａの方が第２のワイヤー１２４ｂよりも大きくなる。
【００５１】
したがって、上限位置（図２に示す状態）に配置された座部１１に入浴者Ｍが座った状態で、モーター部１２２がワイヤー１２４ａ、１２４ｂを繰り出す方向に駆動されると、座部１１は、座面１１ａを前後方向に傾斜（後側が下がった状態に傾斜）させながら、浴槽２内に下がっていくことになる。このために、図８（ｂ）の状態が得られ、入浴者Ｍはリラックスした状態で、浴槽２内の湯に浸かれる。なお、座面１１ａの傾斜角は、２つのドラム１２３ａ、１２３ｂ間の径を異ならせる量によって調整できる。
【００５２】
一方、入浴者Ｍが浴槽２から出られるように、モーター部１２２がワイヤー１２４ａ、１２４ｂを巻き取る方向に駆動されると、座部１１は、座面１１ａの傾斜状態を戻しつつ、浴槽２の上面に上がってくることになる。そして、上限位置では、座部１１の座面１１ａは略水平状態になる。このために、入浴者Ｍはフラップ１１２等を介して楽に浴槽２外に出られる。
＜その他＞
【００５３】
以上に示した実施形態は、本発明の例示にすぎない。以上に示した実施形態の構成は、本発明の技術思想を超えない範囲で適宜変更されて構わない。
【００５４】
例えば、以上に示した第１実施形態の傾斜調整手段Ｔにおいては、クラッチ機構を含ませることによって、２つのワイヤー１２４ａ、１２４ｂの一方の動きを他方の動きから独立させた状態（２つのワイヤー１２４ａ、１２４ｂが連動しない状態）を得て、座面１１ａの傾きを調整できる構成とした。ただし、本発明はこの構成に限定される趣旨ではない。すなわち、例えば、２つのドラム１２３ａ、１２３ｂに対して各々専用のモーターを設け、これによって、２つのワイヤー１２４ａ、１２４ｂが独立して動く状態（連動しない状態）を得て、座面１１ａの傾きを調整できる構成等としてもよい。
【００５５】
また、以上に示した第２実施形態の傾斜調整手段Ｔでは、ドラム１２３ａ、１２３ｂの直径を異ならせることで、第１のワイヤー１２４ａと第２のワイヤー１２４ｂとの間で繰り出し及び巻き取りの速度を異ならせて、座面１１ａの傾きを調整できる構成とした。ただし、本発明はこの構成に限定される趣旨ではない。すなわち、例えば、２つのドラム１２３ａ、１２３ｂに対して各々専用のモーターを設け、これによって、第１のワイヤー１２４ａと第２のワイヤー１２４ｂとの間で繰り出し及び巻き取りの速度を異ならせることを可能とし、座面１１ａの傾きを調整できる構成等としてもよい。
【００５６】
また、以上に示した実施形態では、ワイヤー１２４ａ、１２４ｂ上に座部１１を載せて、座部１１の昇降を行う昇降装置１２に対して、本発明の傾斜調整手段が適用される例を示した。本発明の傾斜調整手段は、この構成に限らず、例えば、座部１１の四隅をワイヤーで吊り持ち支持する構成の昇降装置に対しても適用可能である。この場合は、例えば、前側の２本のワイヤーと、後側の２本のワイヤーとが互いに連動しない（互いに独立した）状態を得られるように構成することで、座面の傾き調整を行える。また、別の例として、前側の２本のワイヤーと、後側の２本のワイヤーとの間で、繰り出し及び巻き取り速度を異ならせる構成とすることで、座面の傾き調整を行える。
【符号の説明】
【００５７】
１  入浴装置
２  浴槽
１１  座部
１１ａ  座面
１２  昇降装置
２１  第１の側壁
２２  第２の側壁
１２４ａ  第１のワイヤー（可撓性支持部材）
１２４ｂ  第２のワイヤー（可撓性支持部材）
Ｍ  入浴者
Ｔ  傾斜調整手段
【図１】
2015029680.tif 000003
【図２】
2015029680.tif 000004
【図３】
2015029680.tif 000005
【図４】
2015029680.tif 000006
【図５】
2015029680.tif 000007
【図６】
2015029680.tif 000008
【図７】
2015029680.tif 000009
【図８】
2015029680.tif 000010
【図９】
2015029680.tif 000011
【図１０】
2015029680.tif 000012